(57)【要約】【課題】携帯端末装置から無線通信によって送信されてきた、画像を示すデータについて、複数の画像形成装置のいずれかを利用して、そのデータで示される画像を印刷するときに、印刷に必要な認証情報を、複数の画像形成装置の全てに送信する必要をなくす。【解決手段】携帯端末装置５から無線通信によって送信されてきた、画像を示すデータについて、複数の画像形成装置１Ａ〜１Ｉのいずれかを利用して、そのデータで示される画像を印刷するときに、サーバー装置７は、複数の画像形成装置１Ａ〜１Ｉのうち、携帯端末装置５に最も近い画像形成装置１に、印刷に必要な認証情報を送信する。【選択図】図１
2016103168.tif 000002
【特許請求の範囲】
【請求項１】
複数の画像形成装置と、前記複数の画像形成装置とネットワークによって接続されているサーバー装置と、を備える画像形成システムであって、
前記サーバー装置は、
前記複数の画像形成装置のそれぞれの位置情報を予め記憶している第１の位置情報記憶部と、
携帯端末装置から無線通信によって送信されてきた、画像を示すデータ及び前記携帯端末装置の位置情報を受信する第１の受信部と、
前記第１の受信部が受信した前記データを記憶する第１のデータ記憶部と、
前記第１の受信部が受信した前記携帯端末装置の位置情報を記憶する第２の位置情報記憶部と、
前記第１の位置情報記憶部に記憶されている位置情報と、前記第２の位置情報記憶部に記憶されている位置情報とを利用して、前記携帯端末装置に最も近い画像形成装置を、前記複数の画像形成装置の中から選択する選択部と、
所定の認証情報を、前記携帯端末装置及び前記選択部が選択した画像形成装置に送信し、かつ、前記第１のデータ記憶部に記憶されている前記データを、前記複数の画像形成装置のうち、所定の画像形成装置に送信する第１の送信部と、を含み、
前記複数の画像形成装置は、
前記サーバー装置から前記認証情報及び前記データが送信されてきたとき、前記認証情報及び前記データを受信する第２の受信部と、
前記第２の受信部が受信した前記認証情報を記憶する認証情報記憶部と、
前記第２の受信部が受信した前記データを記憶する第２のデータ記憶部と、
ユーザーによって入力された前記認証情報を受け付ける受付部と、
前記認証情報記憶部に記憶されている前記認証情報と、前記受付部が受け付けた前記認証情報と、が一致するか否かを判断し、前記認証情報が一致したとき、前記データで示される画像の印刷を許可する印刷許可部と、
印刷ジョブを実行する印刷部と、
前記印刷部に印刷ジョブを実行させる制御をする印刷ジョブ制御部と、を含み、
前記複数の画像形成装置のうち、前記印刷許可部が印刷を許可した画像形成装置において、前記印刷ジョブ制御部は、前記第２のデータ記憶部に記憶されている前記データで示される画像の印刷ジョブを前記印刷部に実行させる画像形成システム。
【請求項２】
前記複数の画像形成装置は、第２の送信部をさらに含み、
前記印刷許可部が印刷を許可した画像形成装置において、前記第２の送信部は、前記データを要求する通知を前記サーバー装置に送信し、
前記サーバー装置において、前記第１の受信部が前記データを要求する通知を受信したとき、前記第１の送信部は、前記第１のデータ記憶部に記憶されている前記データを、前記印刷許可部が印刷を許可した画像形成装置に送信する請求項１に記載の画像形成システム。
【請求項３】
前記選択部は、前記携帯端末装置に最も近い順からＮ台（Ｎ：２以上の整数）の画像形成装置を選択し、
前記第１の送信部は、前記認証情報を、前記選択部が選択した前記Ｎ台の画像形成装置に送信する請求項２に記載の画像形成システム。
【請求項４】
前記複数の画像形成装置は、前記認証情報記憶部に記憶されている前記認証情報を消去する消去部をさらに含み、
前記印刷許可部が印刷を許可した画像形成装置において、前記データで示される画像の印刷ジョブが完了したとき、前記第２の送信部は、印刷完了の通知を前記サーバー装置に送信し、
前記サーバー装置において、前記第１の受信部が前記印刷完了の通知を受信したとき、前記第１の送信部は、前記Ｎ台の画像形成装置のうち、前記印刷許可部が印刷を許可した画像形成装置以外の画像形成装置に、前記印刷完了の通知を転送し、
前記印刷許可部が印刷を許可した画像形成装置以外の画像形成装置において、前記第２の受信部が前記印刷完了の通知を受信したとき、前記消去部は、前記認証情報記憶部に記憶されている前記認証情報を消去する請求項３に記載の画像形成システム。
【請求項５】
前記サーバー装置において、前記第１の送信部は、前記認証情報を前記携帯端末装置及び前記選択部が選択した画像形成装置に送信するときに、前記第１のデータ記憶部に記憶されている前記データを、前記選択部が選択した画像形成装置に送信し、
前記選択部が選択した画像形成装置において、前記第２のデータ記憶部は、前記サーバー装置から送信されてきた前記データを記憶する請求項１に記載の画像形成システム。
【請求項６】
前記選択部は、前記携帯端末装置に最も近い順からＮ台（Ｎ：２以上の整数）の画像形成装置を選択し、
前記第１の送信部は、前記認証情報及び前記データを、前記選択部が選択した前記Ｎ台の画像形成装置に送信する請求項５に記載の画像形成システム。
【請求項７】
前記複数の画像形成装置は、
第２の送信部と、
前記認証情報記憶部に記憶されている前記認証情報及び前記第２のデータ記憶部に記憶されている前記データを消去する消去部と、をさらに含み、
前記印刷許可部が印刷を許可した画像形成装置において、前記データで示される画像の印刷ジョブが完了したとき、前記第２の送信部は、印刷完了の通知を前記サーバー装置に送信し、
前記サーバー装置において、前記第１の受信部が前記印刷完了の通知を受信したとき、前記第１の送信部は、前記Ｎ台の画像形成装置のうち、前記印刷許可部が印刷を許可した画像形成装置以外の画像形成装置に、前記印刷完了の通知を転送し、
前記印刷許可部が印刷を許可した画像形成装置以外の画像形成装置において、前記第２の受信部が前記印刷完了の通知を受信したとき、前記消去部は、前記認証情報記憶部に記憶されている前記認証情報及び前記第２のデータ記憶部に記憶されている前記データを消去する請求項６に記載の画像形成システム。
【請求項８】
前記複数の画像形成装置は、
ユーザー認証をする認証部と、
前記認証部で前記ユーザー認証がされたとき、前記複数の画像形成装置のうち、前記ユーザー認証をした前記認証部を含む画像形成装置の利用を許可する利用許可部と、をさらに含み、
前記印刷許可部が印刷を許可した画像形成装置において、前記印刷ジョブ制御部は、前記認証部でのユーザー認証を要求することなく、前記データで示される画像の印刷ジョブを前記印刷部に実行させる請求項１〜７のいずれか一項に記載の画像形成システム。
【請求項９】
複数の画像形成装置とネットワークによって接続可能なサーバー装置であって、
前記複数の画像形成装置のそれぞれの位置情報を予め記憶している第１の位置情報記憶部と、
携帯端末装置から無線通信によって送信されてきた、画像を示すデータ及び前記携帯端末装置の位置情報を受信する第１の受信部と、
前記第１の受信部が受信した前記データを記憶する第１のデータ記憶部と、
前記第１の受信部が受信した前記携帯端末装置の位置情報を記憶する第２の位置情報記憶部と、
前記第１の位置情報記憶部に記憶されている位置情報と、前記第２の位置情報記憶部に記憶されている位置情報とを利用して、前記携帯端末装置に最も近い画像形成装置を、前記複数の画像形成装置の中から選択する選択部と、
所定の認証情報を、前記携帯端末装置及び前記選択部が選択した画像形成装置に送信し、かつ、前記第１のデータ記憶部に記憶されている前記データを、前記複数の画像形成装置のうち、所定の画像形成装置に送信する第１の送信部と、を備えるサーバー装置。
【発明の詳細な説明】
【技術分野】
【０００１】
本発明は、携帯端末装置から無線通信によって送信されてきたデータで示される画像を印刷する技術に関する。
【背景技術】
【０００２】
印刷物を他人に見られることを防止する技術として、セキュリティー印刷がある。セキュリティー印刷によれば、端末は、画像を示すデータを画像形成装置に送信するときに、そのデータと紐付けられた認証情報（例えば、パスワード、ジョブ番号）を画像形成装置に送信し、画像形成装置は、送信されてきたデータを蓄積し、ユーザーによって画像形成装置に入力された認証情報と、データに紐付けられた認証情報とが一致すれば、印刷を実行する。
【０００３】
例えば、特許文献１は、以下に示すセキュリティー印刷を開示している。ネットワーク上には、プリント・ジョブをスプールするスプール・サーバーが設置される。スプール・サーバーは、プリント・ジョブを受け付けると、ジョブを識別するジョブ番号を付けてスプールするとともに、ジョブ番号を印刷要求元に返す。プリンターは、ユーザーが入力するジョブ番号を受け付けると、スプール・サーバーにジョブの有無を問い合わせる。該当するプリント・ジョブをスプールしているスプール・サーバーは、問合せに応答してジョブをプリンターに転送する。
【先行技術文献】
【特許文献】
【０００４】
【特許文献１】特開２００２−１３２４６４号公報（要約）
【発明の概要】
【発明が解決しようとする課題】
【０００５】
上記技術によれば、サーバーがセキュリティー印刷の認証を実行している。多数の画像形成装置からサーバーにセキュリティー印刷の認証が同時に要求されると、認証に時間がかかり、迅速に印刷をすることができない。
【０００６】
サーバーが画像形成装置に認証情報を送信し、セキュリティー印刷の認証を、画像形成装置で実行すれば、多数の画像形成装置からサーバーにセキュリティー印刷の認証が同時に要求されることがないので、迅速に印刷をすることができる。
【０００７】
サーバーが全ての画像形成装置に認証情報を送信するのは、無駄であるので、印刷を実行する可能性がある画像形成装置に認証情報を送信することが好ましい。しかし、端末が携帯端末装置の場合、どの画像形成装置に認証情報を送信するか問題となる。
【０００８】
本発明は、携帯端末装置から無線通信によって送信されてきた、画像を示すデータについて、複数の画像形成装置のいずれかを利用して、そのデータで示される画像を印刷するときに、印刷に必要な認証情報を、複数の画像形成装置の全てに送信する必要がない画像形成システム及びサーバー装置を提供することを目的とする。
【課題を解決するための手段】
【０００９】
上記目的を達成する本発明の一局面に係る画像形成システムは、複数の画像形成装置と、前記複数の画像形成装置とネットワークによって接続されているサーバー装置と、を備える画像形成システムであって、前記サーバー装置は、前記複数の画像形成装置のそれぞれの位置情報を予め記憶している第１の位置情報記憶部と、携帯端末装置から無線通信によって送信されてきた、画像を示すデータ及び前記携帯端末装置の位置情報を受信する第１の受信部と、前記第１の受信部が受信した前記データを記憶する第１のデータ記憶部と、前記第１の受信部が受信した前記携帯端末装置の位置情報を記憶する第２の位置情報記憶部と、前記第１の位置情報記憶部に記憶されている位置情報と、前記第２の位置情報記憶部に記憶されている位置情報とを利用して、前記携帯端末装置に最も近い画像形成装置を、前記複数の画像形成装置の中から選択する選択部と、所定の認証情報を、前記携帯端末装置及び前記選択部が選択した画像形成装置に送信し、かつ、前記第１のデータ記憶部に記憶されている前記データを、前記複数の画像形成装置のうち、所定の画像形成装置に送信する第１の送信部と、を含み、前記複数の画像形成装置は、前記サーバー装置から前記認証情報及び前記データが送信されてきたとき、前記認証情報及び前記データを受信する第２の受信部と、前記第２の受信部が受信した前記認証情報を記憶する認証情報記憶部と、前記第２の受信部が受信した前記データを記憶する第２のデータ記憶部と、ユーザーによって入力された前記認証情報を受け付ける受付部と、前記認証情報記憶部に記憶されている前記認証情報と、前記受付部が受け付けた前記認証情報と、が一致するか否かを判断し、前記認証情報が一致したとき、前記データで示される画像の印刷を許可する印刷許可部と、印刷ジョブを実行する印刷部と、前記印刷部に印刷ジョブを実行させる制御をする印刷ジョブ制御部と、を含み、前記複数の画像形成装置のうち、前記印刷許可部が印刷を許可した画像形成装置において、前記印刷ジョブ制御部は、前記第２のデータ記憶部に記憶されている前記データで示される画像の印刷ジョブを前記印刷部に実行させる。
【００１０】
本発明の第１の局面に係る画像形成システムによれば、携帯端末装置から無線通信によって送信されてきた、画像を示すデータについて、複数の画像形成装置のいずれかを利用して、そのデータで示される画像を印刷するときに、サーバー装置は、複数の画像形成装置のうち、携帯端末装置に最も近い画像形成装置に、印刷に必要な認証情報を送信する。従って、印刷に必要な認証情報を、複数の画像形成装置の全てに送信する必要をなくすことができる。また、本発明の第１の局面に係る画像形成システムによれば、携帯端末装置に最も近い画像形成装置に認証情報が送信されるので、携帯端末装置に最も近い画像形成装置で印刷をすることができる。なお、ここでのデータは、印刷データや画像データと称され、印刷の対象となる画像を示す。
【００１１】
上記構成において、前記複数の画像形成装置は、第２の送信部をさらに含み、前記印刷許可部が印刷を許可した画像形成装置において、前記第２の送信部は、前記データを要求する通知を前記サーバー装置に送信し、前記サーバー装置において、前記第１の受信部が前記データを要求する通知を受信したとき、前記第１の送信部は、前記第１のデータ記憶部に記憶されている前記データを、前記印刷許可部が印刷を許可した画像形成装置に送信する。
【００１２】
サーバー装置が、画像を示すデータを画像形成装置に送信しても、その画像形成装置で印刷がされなければ、その画像形成装置にデータを送信する動作が無駄となる。この構成によれば、サーバー装置は、複数の画像形成装置のうち、印刷を許可した印刷許可部を含む画像形成装置にのみ、データを送信することができる。
【００１３】
上記構成において、前記選択部は、前記携帯端末装置に最も近い順からＮ台（Ｎ：２以上の整数）の画像形成装置を選択し、前記第１の送信部は、前記認証情報を、前記選択部が選択した前記Ｎ台の画像形成装置に送信する。
【００１４】
この構成によれば、携帯端末装置に最も近い画像形成装置を直ちに利用できないとき（例えば、その画像形成装置を他のユーザーが使用している。その画像形成装置の給紙カセットに用紙がない。）、携帯端末装置に２番目からＮ番目に近い画像形成装置のいずれかを利用して印刷をすることができる。
【００１５】
上記構成において、前記複数の画像形成装置は、前記認証情報記憶部に記憶されている前記認証情報を消去する消去部をさらに含み、前記印刷許可部が印刷を許可した画像形成装置において、前記データで示される画像の印刷ジョブが完了したとき、前記第２の送信部は、印刷完了の通知を前記サーバー装置に送信し、前記サーバー装置において、前記第１の受信部が前記印刷完了の通知を受信したとき、前記第１の送信部は、前記Ｎ台の画像形成装置のうち、前記印刷許可部が印刷を許可した画像形成装置以外の画像形成装置に、前記印刷完了の通知を転送し、前記印刷許可部が印刷を許可した画像形成装置以外の画像形成装置において、前記第２の受信部が前記印刷完了の通知を受信したとき、前記消去部は、前記認証情報記憶部に記憶されている前記認証情報を消去する。
【００１６】
サーバー装置は、選択されたＮ台の画像形成装置の全てに認証情報を送信する。このため、Ｎ台の画像形成装置のうち、印刷許可部が印刷を許可した画像形成装置以外の画像形成装置においても、認証情報記憶部に認証情報が記憶されている。印刷許可部が印刷を許可した画像形成装置で印刷が完了すれば、認証情報は不要である。この構成によれば、印刷許可部が印刷を許可した画像形成装置以外の画像形成装置において、認証情報記憶部に記憶されている認証情報を消去することができる。
【００１７】
前記サーバー装置において、前記第１の送信部は、前記認証情報を前記携帯端末装置及び前記選択部が選択した画像形成装置に送信するときに、前記第１のデータ記憶部に記憶されている前記データを、前記選択部が選択した画像形成装置に送信し、前記選択部が選択した画像形成装置において、前記第２のデータ記憶部は、前記サーバー装置から送信されてきた前記データを記憶する。
【００１８】
この構成によれば、サーバー装置は、選択部が選択した画像形成装置に認証情報を送信するときに、画像を示すデータも送信する。従って、印刷許可部が印刷を許可したとき、画像形成装置がサーバー装置にデータを要求する必要がないので、直ちに、印刷をすることができる。
【００１９】
上記構成において、前記選択部は、前記携帯端末装置に最も近い順からＮ台（Ｎ：２以上の整数）の画像形成装置を選択し、前記第１の送信部は、前記認証情報及び前記データを、前記選択部が選択した前記Ｎ台の画像形成装置に送信する。
【００２０】
この構成によれば、携帯端末装置に最も近い画像形成装置を直ちに利用できないとき、携帯端末装置に２番目からＮ番目に近い画像形成装置のいずれかを利用して印刷をすることができる。
【００２１】
上記構成において、前記複数の画像形成装置は、第２の送信部と、前記認証情報記憶部に記憶されている前記認証情報及び前記第２のデータ記憶部に記憶されている前記データを消去する消去部と、をさらに含み、前記印刷許可部が印刷を許可した画像形成装置において、前記データで示される画像の印刷ジョブが完了したとき、前記第２の送信部は、印刷完了の通知を前記サーバー装置に送信し、前記サーバー装置において、前記第１の受信部が前記印刷完了の通知を受信したとき、前記第１の送信部は、前記Ｎ台の画像形成装置のうち、前記印刷許可部が印刷を許可した画像形成装置以外の画像形成装置に、前記印刷完了の通知を転送し、前記印刷許可部が印刷を許可した画像形成装置以外の画像形成装置において、前記第２の受信部が前記印刷完了の通知を受信したとき、前記消去部は、前記認証情報記憶部に記憶されている前記認証情報及び前記第２のデータ記憶部に記憶されている前記データを消去する。
【００２２】
サーバー装置は、選択されたＮ台の画像形成装置の全てに認証情報及びデータを送信する。このため、Ｎ台の画像形成装置のうち、印刷許可部が印刷を許可した画像形成装置以外の画像形成装置においても、認証情報記憶部に認証情報が記憶され、かつ、第２のデータ記憶部にデータが記憶されている。印刷許可部が印刷を許可した画像形成装置で印刷が完了すれば、認証情報及びデータは不要である。この構成によれば、印刷許可部が印刷を許可した画像形成装置以外の画像形成装置において、認証情報記憶部に記憶されている認証情報及び第２のデータ記憶部に記憶されているデータを消去することができる。
【００２３】
上記構成において、前記複数の画像形成装置は、ユーザー認証をする認証部と、前記認証部で前記ユーザー認証がされたとき、前記複数の画像形成装置のうち、前記ユーザー認証をした前記認証部を含む画像形成装置の利用を許可する利用許可部と、をさらに含み、前記印刷許可部が印刷を許可した画像形成装置において、前記印刷ジョブ制御部は、前記認証部でのユーザー認証を要求することなく、前記データで示される画像の印刷ジョブを前記印刷部に実行させる。
【００２４】
この構成によれば、携帯端末装置のユーザーが、印刷許可部が印刷を許可した画像形成装置の認証部でユーザー認証されてなくても（その画像形成装置の利用を許可されていなくても）、サーバー装置から送信されてきたデータで示される画像については、印刷をすることができる。
【００２５】
本発明の第２の局面に係るサーバー装置は、複数の画像形成装置とネットワークによって接続可能なサーバー装置であって、前記複数の画像形成装置のそれぞれの位置情報を予め記憶している第１の位置情報記憶部と、携帯端末装置から無線通信によって送信されてきた、画像を示すデータ及び前記携帯端末装置の位置情報を受信する第１の受信部と、前記第１の受信部が受信した前記データを記憶する第１のデータ記憶部と、前記第１の受信部が受信した前記携帯端末装置の位置情報を記憶する第２の位置情報記憶部と、前記第１の位置情報記憶部に記憶されている位置情報と、前記第２の位置情報記憶部に記憶されている位置情報とを利用して、前記携帯端末装置に最も近い画像形成装置を、前記複数の画像形成装置の中から選択する選択部と、所定の認証情報を、前記携帯端末装置及び前記選択部が選択した画像形成装置に送信し、かつ、前記第１のデータ記憶部に記憶されている前記データを、前記複数の画像形成装置のうち、所定の画像形成装置に送信する第１の送信部と、を備える。
【００２６】
本発明の第２の局面に係るサーバー装置は、本発明の第１の局面に係る画像形成システムに適用できるサーバー装置である。
【発明の効果】
【００２７】
本発明によれば、携帯端末装置から無線通信によって送信されてきた、画像を示すデータについて、複数の画像形成装置のいずれかを利用して、そのデータで示される画像を印刷するときに、印刷に必要な認証情報を、複数の画像形成装置の全てに送信する必要をなくすことができる。
【図面の簡単な説明】
【００２８】
【図１】本実施形態に係る画像形成システムの構成を示すブロック図である。
【図２】本実施形態に係る携帯端末装置の構成を示すブロック図である。
【図３】本実施形態に係るサーバー装置の構成を示すブロック図である。
【図４】本実施形態に係る画像形成装置の構成を示すブロック図である。
【図５】本実施形態に係る画像形成システムの動作を説明するフローチャートの前半である。
【図６】同フローチャートの後半である。
【図７】本実施形態に係る画像形成システムの動作の変形例を説明するフローチャートの前半である。
【図８】同フローチャートの後半である。
【発明を実施するための形態】
【００２９】
以下、図面に基づいて本発明の実施形態を詳細に説明する。画像を示すデータとして、印刷データを例にして説明するが、これに限らず、画像データと称されるデータであってもよい。図１は、本発明の一実施形態に係る画像形成システム３の構成を示すブロック図である。画像形成システム３は、画像形成装置１、携帯端末装置５、サーバー装置７及びアクセスポイント９を備える。
【００３０】
画像形成装置１は、有線のＬＡＮ６０７に接続されている。図１には、ＬＡＮ６０７に接続された複数の画像形成装置１Ａ，１Ｂ，１Ｃ，１Ｄ，１Ｅ，１Ｆ，１Ｇ，１Ｈ，１Iが示されている。これらを区別する必要がない場合、画像形成装置１と記載する。画像形成装置１の数が９を例にして説明するが、画像形成装置１の数は複数であればよく、９に限定されない。
【００３１】
携帯端末装置５は、例えば、スマートフォン、タブレット端末、ノートパソコンのようなポータブルデバイスである。図１には、一つの携帯端末装置５が示されている。携帯端末装置５の数は、複数でもよい。
【００３２】
サーバー装置７及びアクセスポイント９は、ＬＡＮ６０７に接続されている。
【００３３】
アクセスポイント９と携帯端末装置５との無線通信は、例えば、無線ＬＡＮである。アクセスポイント９は、携帯端末装置５とＬＡＮ６０７とを相互に接続する。携帯端末装置５から無線通信によって送信されてきた印刷データは、アクセスポイント９を経由して、サーバー装置７で受信され、サーバー装置７で蓄積される。
【００３４】
携帯端末装置５の構成について説明する。図２は、その構成を示すブロック図である。携帯端末装置５は、通信部５１、制御部５３及び操作表示部５５を備える。
【００３５】
通信部５１は、無線通信を実行する通信インターフェイスである。
【００３６】
制御部５３は、ＣＰＵ、ＲＯＭ及びＲＡＭを備える。制御部５３は、携帯端末装置５を動作させる制御を実行する。制御部５３は、機能ブロックとして、記憶部５７を備える。
【００３７】
記憶部５７は、画像を示す印刷データを記憶する。印刷データは、画像形成装置１において印刷可能な画像を示すデータであればよい。印刷データの形式は、例えば、ＪＰＥＧ、ＰＤＦである。
【００３８】
制御部５３は、通信部５１に通信を実行させる制御をする。この通信には、携帯端末装置５とサーバー装置７との間の通信、及び、携帯端末装置５とＧＰＳ（Global Positioning System）衛星との間の通信が含まれる。
【００３９】
操作表示部５５は、液晶表示パネルのような表示部を備えるタッチパネル式のユーザーインターフェイスである。操作表示部５５において、携帯端末装置５を動作させるための各種操作がされる。
【００４０】
図３は、本実施形態に係るサーバー装置７の構成を示すブロック図である。サーバー装置７は、通信部７１及び制御部７３を備える。
【００４１】
通信部７１は、ＬＡＮ６０７に接続される。通信部７１は、サーバー装置７と画像形成装置１との間、及び、サーバー装置７と携帯端末装置５との間で通信を実行するための通信インターフェイス回路である。通信部７１は、機能ブロックとして、第１の受信部７５及び第１の送信部７７を備える。
【００４２】
制御部７３は、ＣＰＵ、ＲＯＭ及びＲＡＭを備える。制御部７３は、サーバー装置７を動作させる制御を実行する。制御部７３は、機能ブロックとして、第１の位置情報記憶部７９、第１のデータ記憶部８１、第２の位置情報記憶部８３、選択部８５、モバイル印刷処理部８７及び認証部８９を備える。
【００４３】
第１の位置情報記憶部７９は、画像形成装置１Ａ〜１Ｉのそれぞれの位置情報を予め記憶している。位置情報は、画像形成装置１Ａ〜１Ｉのそれぞれが設置されている場所の緯度、経度及び高度を示す情報である。位置情報は、例えば、ＧＰＳ衛星を利用して取得することができる。
【００４４】
第１のデータ記憶部８１は、第１の受信部７５が受信した印刷データを記憶する。印刷データは、携帯端末装置５から無線通信によって送信されてくる。
【００４５】
第２の位置情報記憶部８３は、第１の受信部７５が受信した携帯端末装置５の位置情報を記憶する。携帯端末装置５の位置情報は、携帯端末装置５から無線通信によって、印刷データと一緒に送信されてくる。
【００４６】
選択部８５は、第１の位置情報記憶部７９に記憶されている位置情報（すなわち、画像形成装置１Ａ〜１Ｉのそれぞれの位置情報）と、第２の位置情報記憶部８３に記憶されている位置情報（すなわち、携帯端末装置５の位置情報）とを利用して、携帯端末装置５に最も近い順からＮ台（Ｎ：２以上の整数）の画像形成装置１を、複数の画像形成装置１Ａ〜１Ｉの中から選択する。なお、携帯端末装置５に最も近い画像形成装置１を、複数の画像形成装置１Ａ〜１Ｉの中から選択する態様でもよい。
【００４７】
モバイル印刷処理部８７は、モバイル印刷に関する各種の処理をする。例えば、選択部８５がＮ台の画像形成装置１を選択したとき、モバイル印刷処理部８７は、第１の送信部７７に対して、所定の認証情報を、携帯端末装置５及び選択されたＮ台の画像形成装置１に送信させる制御をする。所定の認証情報とは、モバイル印刷を実行する場合に、ユーザーが画像形成装置１に入力しなければならない情報である。本実施形態では、所定の認証情報として、パスワードを例にして説明する。
【００４８】
また、モバイル印刷処理部８７は、第１の送信部７７に対して、第１のデータ記憶部８１に記憶されている印刷データを、所定のタイミングで所定の画像形成装置１に送信させる制御をする。
【００４９】
認証部８９は、モバイル印刷のユーザー認証をする。認証部８９がユーザー認証をすれば、画像形成システム３において、モバイル印刷のための処理が続行される。
【００５０】
図４は、本実施形態に係る画像形成装置１の構成を示すブロック図である。画像形成装置１として、コピー、プリンター、スキャナー及びファクシミリの機能を有するデジタル複合機を例に説明する。画像形成装置１は、画像を印刷する機能を有する装置であればよく、デジタル複合機に限定されない。例えば、プリンターを画像形成装置１としてもよい。画像形成装置１は、印刷部１００、原稿読取部２００、原稿給送部３００、操作部４００、制御部５００、及び、通信部６００を備える。
【００５１】
原稿給送部３００は、原稿給送部３００に設けられた原稿載置部に１枚の原稿が置かれている場合、その原稿を原稿読取部２００に送り、原稿載置部に複数枚の原稿が置かれている場合、複数枚の原稿を連続的に原稿読取部２００に送る。
【００５２】
原稿読取部２００は、原稿台に載置された原稿や、原稿給送部３００から給送された原稿を読み取り、その原稿の画像データを出力する。
【００５３】
印刷部１００は、印刷ジョブを実行する。印刷ジョブとは、画像を示すデータ（例えば、携帯端末装置５から送信されてきた印刷データ、原稿読取部２００から出力された画像データ、ファクシミリ受信の画像データ）について、そのデータで示される画像を印刷した印刷物を生成するジョブである。
【００５４】
操作部４００は、操作キー部４０１と表示部４０３を備える。表示部４０３は、タッチパネル機能を有しており、ソフトキーを含む画面が表示される。ユーザーは、画面を見ながらソフトキーを操作することによって、コピー等の機能の実行に必要な設定等をする。
【００５５】
操作キー部４０１には、ハードキーからなる操作キーが設けられている。操作キーは、例えば、スタートキー、テンキー、リセットキー、コピー、プリンター、スキャナー及びファクシミリを切り換えるための機能切換キーである。
【００５６】
制御部５００は、ＣＰＵ、ＲＯＭ及びＲＡＭを備える。ＣＰＵは、画像形成装置１を動作させるために必要な制御を、画像形成装置１の上記構成要素（例えば、印刷部１００）に対して実行する。ＲＯＭは、画像形成装置１の動作の制御に必要なソフトウェアを記憶している。ＲＡＭは、ソフトウェアの実行時に発生するデータの一時的な記憶及びアプリケーションソフトの記憶等に利用される。
【００５７】
制御部５００は、機能ブロックとして、認証情報記憶部５０１、第２のデータ記憶部５０３、受付部５０５、印刷許可部５０７、印刷ジョブ制御部５０９、消去部５１１、認証部５１３及び利用許可部５１５を備える。これらのブロックの詳細は、後で説明する。
【００５８】
通信部６００は、ファクシミリ通信部６０１及びネットワークＩ／Ｆ部６０３を備える。ファクシミリ通信部６０１は、相手先ファクシミリとの電話回線の接続を制御するＮＣＵ（Network Control Unit）及びファクシミリ通信用の信号を変復調する変復調回路を備える。ファクシミリ通信部６０１は、電話回線６０５に接続される。
【００５９】
ネットワークＩ／Ｆ部６０３は、ＬＡＮ６０７に接続される。ネットワークＩ／Ｆ部６０３は、画像形成装置１とサーバー装置７との間で通信を実行するための通信インターフェイス回路である。
【００６０】
ネットワークＩ／Ｆ部６０３は、機能ブロックとして、第２の受信部６０９及び第２の送信部６１１を備える。
【００６１】
第２の受信部６０９は、サーバー装置７から認証情報及び印刷データが送信されてきたとき、認証情報及び印刷データを受信する。
【００６２】
第２の送信部６１１は、印刷データを要求する通知や印刷完了の通知を送信する。
【００６３】
認証情報記憶部５０１は、第２の受信部６０９が受信した認証情報を記憶する。
【００６４】
第２のデータ記憶部５０３は、第２の受信部６０９が受信した印刷データを記憶する。
【００６５】
受付部５０５は、ユーザーが操作部４００を操作することによって、画像形成装置１に入力された認証情報を受け付ける。
【００６６】
印刷許可部５０７は、認証情報記憶部５０１に記憶されている認証情報と、受付部５０５が受け付けた認証情報と、が一致するか否かを判断し、認証情報が一致したとき、印刷データで示される画像の印刷を許可する。
【００６７】
印刷ジョブ制御部５０９は、印刷部１００に印刷ジョブを実行させる制御をする。
【００６８】
消去部５１１は、認証情報記憶部５０１に記憶されている認証情報を消去する。また、消去部５１１は、第２のデータ記憶部５０３に記憶されている印刷データを消去する。
【００６９】
認証部５１３は、その認証部５１３を含む画像形成装置１のユーザー認証をする。利用許可部５１５は、認証部５１３でユーザー認証がされたとき、複数の画像形成装置１Ａ〜１Ｉのうち、ユーザー認証をした認証部５１３を含む画像形成装置１の利用を許可する。これにより、ユーザーは、ユーザー認証をした認証部５１３を含む画像形成装置１を利用することができる。例えば、画像形成装置１Ａの認証部５１３が、画像形成装置１Ａのユーザー認証をしたとき、画像形成装置１Ａの利用許可部５１５は、ユーザーに画像形成装置１Ａの利用を許可する。ユーザー認証には、パスワード認証、指紋認証等がある。
【００７０】
本実施形態に係る画像形成システム３の動作について、図１〜図６を用いて説明する。図５及び図６は、その動作を説明するフローチャートである。
【００７１】
図２及び図５を参照して、ユーザーは、携帯端末装置５の操作表示部５５を操作して、記憶部５７に記憶されている印刷データで示される画像の中から印刷の対象となる画像を選択し、印刷開始を指示する（ステップＳ１）。
【００７２】
制御部５３は、通信部５１に対して、ＧＰＳ衛星と通信させて、携帯端末装置５の位置情報を取得させる制御をする（ステップＳ２）。
【００７３】
制御部５３は、通信部５１に対して、ステップＳ１で印刷開始が指示された印刷データ、ステップＳ２で取得された位置情報、及び、記憶部５７に記憶されているモバイル印刷のユーザー情報（ユーザーＩＤ等）を、サーバー装置７に送信させる制御をする（ステップＳ３）。
【００７４】
図３及び図５を参照して、サーバー装置７において、第１の受信部７５は、ステップＳ３で送信されてきた印刷データ、携帯端末装置５の位置情報、及び、ユーザー情報を受信する（ステップＴ１）。
【００７５】
モバイル印刷処理部８７は、ステップＴ１で受信された印刷データを、第１のデータ記憶部８１に記憶させ、かつ、ステップＴ１で受信された携帯端末装置５の位置情報を、第２の位置情報記憶部８３に記憶させる（ステップＴ２）。
【００７６】
認証部８９は、モバイル印刷のユーザー認証をすることができないとき（ステップＴ３でＮｏ）、すなわち、認証部８９に予め登録されているユーザーＩＤと、ステップＴ１で受信されたユーザー情報に含まれるユーザーＩＤとが一致しないと判断したとき、ステップＴ４に進む。
【００７７】
モバイル印刷処理部８７は、第１の送信部７７に対して、モバイル印刷が不許可である通知を携帯端末装置５に送信させる制御をする（ステップＴ４）。
【００７８】
図２及び図５を参照して、携帯端末装置５において、通信部５１が、ステップＴ４で送信されてきた通知を受信したとき（ステップＳ４でＹｅｓ）、制御部５３は、操作表示部５５に、モバイル印刷が不許可である通知を表示させる（ステップＳ５）。
【００７９】
図３及び図５を参照して、認証部８９は、モバイル印刷のユーザー認証をしたとき（ステップＴ３でＹｅｓ）、すなわち、認証部８９に予め登録されているユーザーＩＤと、ステップＴ１で受信されたユーザー情報に含まれるユーザーＩＤとが一致すると判断したとき、ステップＴ５に進む。
【００８０】
モバイル印刷処理部８７は、所定の認証情報を生成する（ステップＴ５）。認証情報は、ステップＴ２で第１のデータ記憶部８１に記憶された印刷データに割り当てるモバイル印刷ＩＤ及びそのモバイル印刷ＩＤに紐付けられたパスワードである。モバイル印刷ＩＤは、ステップＴ２で第１のデータ記憶部８１に記憶された印刷データを特定する。例えば、第１のデータ記憶部８１に印刷データが記憶された順に、それらの印刷データに、００１、００２、００３、・・・の番号が割り当てられる。パスワードは、モバイル印刷ＩＤで特定される印刷データで示される画像を印刷する際に、入力が要求される。なお、認証情報を印刷許可情報と称してもよい。
【００８１】
選択部８５は、第１の位置情報記憶部７９に予め記憶されている位置情報（すなわち、画像形成装置１Ａ〜１Ｉのそれぞれの位置情報）と、ステップＴ２で第２の位置情報記憶部８３に記憶されている位置情報（すなわち、携帯端末装置５の位置情報）とを利用して、携帯端末装置５に最も近い順からＮ台の画像形成装置１を、複数の画像形成装置１Ａ〜１Ｉの中から選択する（ステップＴ６）。
【００８２】
ここでは、Ｎが３を例にして説明する。図１を参照して、選択部８５は、画像形成装置１Ｅ，１Ｆ，１Ｇを選択したとする。
【００８３】
図３及び図５を参照して、モバイル印刷処理部８７は、第１の送信部７７に対して、ステップＴ５で生成した認証情報（モバイル印刷ＩＤ及びパスワード）、及び、ステップＴ６で選択された画像形成装置１Ｅ，１Ｆ，１Ｇをそれぞれ特定する情報（例えば、それらの画像形成装置のＩＤ）を、携帯端末装置５に送信させる制御をする（ステップＴ７）。
【００８４】
図２及び図５を参照して、携帯端末装置５において、通信部５１が、ステップＴ４で送信されてきた通知を受信しない場合（ステップＳ４でＮｏ）、通信部５１は、ステップＴ７で送信されてきた認証情報、及び、画像形成装置１Ｅ，１Ｆ，１Ｇをそれぞれ特定する情報を受信する（ステップＳ６）。
【００８５】
制御部５３は、ステップＳ６で受信された認証情報、及び、画像形成装置１Ｅ，１Ｆ，１Ｇをそれぞれ特定する情報を、操作表示部５５に表示させる（ステップＳ７）。ユーザーは、これらを基にして、後で説明するように、画像形成装置１にモバイル印刷を実行させる。
【００８６】
図３及び図５を参照して、モバイル印刷処理部８７は、第１の送信部７７に対して、印刷要求、及び、ステップＴ５で生成した認証情報（モバイル印刷ＩＤ及びパスワード）を、ステップＴ６で選択された画像形成装置１Ｅ，１Ｆ，１Ｇ（図１）に送信させる制御をする（ステップＴ８）。
【００８７】
図４及び図５を参照して、ステップＴ６で選択された画像形成装置１Ｅ，１Ｆ，１Ｇ（図１）のそれぞれにおいて、第２の受信部６０９は、ステップＴ８で送信されてきた印刷要求及び認証情報を受信する（ステップＵ１）。
【００８８】
画像形成装置１Ｅ，１Ｆ，１Ｇ（図１）のそれぞれにおいて、制御部５００は、ステップＵ１で受信された認証情報を、認証情報記憶部５０１に記憶させる（ステップＵ２）。
【００８９】
携帯端末装置５のユーザーは、ステップＴ６で選択された画像形成装置１Ｅ，１Ｆ，１Ｇ（図１）のうち、例えば、画像形成装置１Ｆにモバイル印刷を実行させるとする。
【００９０】
図４及び図６を参照して、携帯端末装置５のユーザーは、ステップＳ７（図５）において、携帯端末装置５の操作表示部５５（図２）に表示されている認証情報（モバイル印刷ＩＤ、パスワード）を、画像形成装置１Ｆの操作部４００を操作して、画像形成装置１Ｆに入力する（ステップＵ３）。ステップＵ３で入力された認証情報は、画像形成装置１Ｆの受付部５０５で受け付けられる。
【００９１】
画像形成装置１Ｆにおいて、印刷許可部５０７は、ステップＵ２で認証情報記憶部５０１に記憶された認証情報と、ステップＵ３で受付部５０５が受け付けた認証情報と、が一致するか否かを判断する（ステップＵ４）。
【００９２】
印刷許可部５０７が、認証情報が一致しないと判断したとき（ステップＵ４でＮｏ）、ステップＵ３に戻る。
【００９３】
印刷許可部５０７が、認証情報が一致すると判断したとき（ステップＵ４でＹｅｓ）、印刷許可部５０７は、印刷を許可する。なお、許可の対象となる印刷データは、まだ、サーバー装置７から画像形成装置１Ｆに送信されていない。
【００９４】
画像形成装置１Ｆにおいて、認証部５１３は、画像形成装置１Ｆのユーザー認証を省略する（ステップＵ５）。すなわち、画像形成装置１Ｆにおいて、認証部５１３で画像形成装置１Ｆのユーザー認証がされたときに、利用許可部５１３は、画像形成装置１Ｆの利用を許可する。しかし、上述したように、認証情報が一致すると判断されたとき（ステップＵ４でＹｅｓ）、携帯端末装置５のユーザーが、画像形成装置１Ｆを利用する許可がされているか否かを問わず、画像形成装置１Ｆでモバイル印刷を実行することができる。
【００９５】
画像形成装置１Ｆにおいて、制御部５００は、第２の送信部６１１に対して、印刷データを要求する通知をサーバー装置７に送信させる制御をする（ステップＵ６）。
【００９６】
図３及び図６を参照して、サーバー装置７において、第１の受信部７５が、ステップＵ６で送信されてきた印刷データを要求する通知を受信する（ステップＴ９）。モバイル印刷処理部８７は、第１の送信部７７に対して、第１のデータ記憶部８１に記憶されている印刷データを、画像形成装置１Ｆ（印刷許可部５０７が印刷を許可した画像形成装置１）に送信させる制御をする（ステップＴ１０）。
【００９７】
図４及び図６を参照して、画像形成装置１Ｆにおいて、第２の受信部６０９は、ステップＴ１０で送信されてきた印刷データを受信する（ステップＵ７）。
【００９８】
画像形成装置１Ｆにおいて、制御部５００は、ステップＵ７で受信された印刷データを、第２のデータ記憶部５０３に記憶させる（ステップＵ８）。
【００９９】
画像形成装置１Ｆにおいて、印刷部１００は、ステップＵ８で第２のデータ記憶部５０３に記憶されている印刷データで示される画像の印刷ジョブを実行する（ステップＵ９）。すなわち、複数の画像形成装置１Ａ〜１Ｉのうち、印刷許可部５０７が印刷を許可した画像形成装置１Ｆにおいて、印刷ジョブ制御部５０９は、第２のデータ記憶部５０３に記憶されている印刷データで示される画像の印刷ジョブを印刷部１００に実行させる。
【０１００】
このように、画像形成装置１Ｆ（印刷許可部５０７が印刷を許可した画像形成装置１）において、印刷ジョブ制御部５０９は、認証部５１３でのユーザー認証を要求することなく（ステップＵ５）、印刷データで示される画像の印刷ジョブを印刷部１００に実行させる。
【０１０１】
画像形成装置１Ｆにおいて、ステップＵ９の印刷ジョブが完了したとき、制御部５００は、第２の送信部６１１に対して、印刷完了の通知をサーバー装置７に送信させる制御をする（ステップＵ１０）。
【０１０２】
図３及び図６を参照して、サーバー装置７において、第１の受信部７５が、ステップＵ１０で送信されてきた印刷完了の通知を受信する（ステップＴ１１）。
【０１０３】
サーバー装置７において、モバイル印刷処理部８７は、第１の送信部７７に対して、画像形成装置１Ｅ，１Ｇに印刷完了の通知を転送させる制御をする（ステップＴ１２）。すなわち、第１の送信部７７は、ステップＴ６で選択されたＮ台の画像形成装置１のうち、印刷許可部５０７が印刷を許可した画像形成装置以外の画像形成装置１に、印刷完了の通知を転送する。
【０１０４】
画像形成装置１Ｅ，１Ｇにおいて、第２の受信部６０９が、ステップＴ１２で転送されてきた印刷完了の通知を受信したとき、消去部５１１は、ステップＵ２で認証情報記憶部５０１に記憶されている認証情報を消去する。画像形成装置１Ｆで印刷が完了しており、認証情報は不要だからである。すなわち、選択部８５が選択した画像形成装置１のうち、印刷許可部５０７が印刷を許可した画像形成装置以外の画像形成装置１において、第２の受信部６０９が印刷完了の通知を受信したとき、消去部５１１は、認証情報記憶部５０１に記憶されている認証情報を消去する。
【０１０５】
なお、画像形成装置１Ｆ（印刷許可部５０７が印刷を許可した画像形成装置１）においても、消去部５１１は、認証情報記憶部５０１に記憶されている認証情報を消去する。
【０１０６】
本実施形態の主な効果を説明する。携帯端末装置５から無線通信によって送信されてきた印刷データについて（ステップＳ３）、複数の画像形成装置１Ａ〜１Ｉのいずれかを利用して、印刷データで示される画像を印刷するときに、サーバー装置７は、複数の画像形成装置１Ａ〜１Ｉのうち、携帯端末装置５に最も近い順から３台の画像形成装置１Ｆ,１Ｇ,１Ｅに、印刷に必要な認証情報を送信する（ステップＴ６、ステップＴ８）。従って、本実施形態によれば、印刷に必要な認証情報を、複数の画像形成装置１Ａ〜１Ｉの全てに送信する必要をなくすことができる。また、本実施形態によれば、携帯端末装置５に最も近い画像形成装置１Ｆに認証情報が送信されるので、携帯端末装置５に最も近い画像形成装置１Ｆで印刷をすることができる。
【０１０７】
サーバー装置７が、印刷データを画像形成装置１に送信しても、その画像形成装置１で印刷がされなければ、その画像形成装置１に印刷データを送信する動作が無駄となる。本実施形態によれば、サーバー装置７は、複数の画像形成装置１Ａ〜１Ｈのうち、印刷を許可した印刷許可部５０７を含む画像形成装置１Ｆにのみ、印刷データを送信することができる（ステップＴ１０）。
【０１０８】
また、本実施形態において、携帯端末装置５に最も近い順から３台の画像形成装置１Ｆ,１Ｇ,１Ｅに、印刷に必要な認証情報を送信する（ステップＴ６、ステップＴ８）。従って、携帯端末装置５に最も近い画像形成装置１Ｆを直ちに利用できないとき（例えば、画像形成装置１Ｆを他のユーザーが使用している。画像形成装置１Ｆの給紙カセットに用紙がない。）、携帯端末装置５に２番目から３番目に近い画像形成装置（画像形成装置１Ｇ,１Ｅ）のいずれかを利用して印刷をすることができる。
【０１０９】
本実施形態において、サーバー装置７は、選択された３台の画像形成装置１Ｅ,１Ｆ,１Ｇの全てに認証情報を送信する（ステップＴ８）。このため、３台の画像形成装置１Ｅ,１Ｆ,１Ｇのうち、印刷許可部５０７が印刷を許可した画像形成装置１Ｆ以外の画像形成装置１Ｅ，１Ｇにおいても、認証情報記憶部５０１に認証情報が記憶されている。印刷許可部５０７が印刷を許可した画像形成装置１Ｆで印刷が完了すれば、認証情報は不要である。本実施形態によれば、印刷許可部５０７が印刷を許可した画像形成装置１Ｆ以外の画像形成装置１Ｅ，１Ｇにおいて、認証情報記憶部５０１に記憶されている認証情報を消去することができる。
【０１１０】
また、本実施形態によれば、携帯端末装置５のユーザーが、印刷許可部５０７が印刷を許可した画像形成装置１Ｆの認証部５１３でユーザー認証されてなくても（画像形成装置１Ｆの利用を許可されていなくても）、サーバー装置７から送信されてきた印刷データで示される画像については、印刷をすることができる（ステップＵ５）。
【０１１１】
次に、本実施形態に係る画像形成システム３の動作の変形例について説明する。図７及び図８は、その変形例を説明するフローチャートである。変形例では、サーバー装置７は、認証情報を、選択した画像形成装置１に送信するときに、印刷データも一緒に送信する。
【０１１２】
図７のステップＳ１〜ステップＳ７の処理は、図５のステップＳ１〜ステップＳ７の処理と同じなので、説明を省略する。図７のステップＴ１〜ステップＴ７の処理は、図５のステップＴ１〜ステップＴ７の処理と同じなので、説明を省略する。
【０１１３】
図３及び図７を参照して、ステップＴ７後、モバイル印刷処理部８７は、第１の送信部７７に対して、印刷要求、ステップＴ５で生成した認証情報（モバイル印刷ＩＤ及びパスワード）、及び、ステップＴ２で記憶した印刷データを、ステップＴ６で選択された３台の画像形成装置１Ｅ，１Ｆ，１Ｇ（図１）に送信させる制御をする（ステップＴ２１）。すなわち、サーバー装置７において、第１の送信部７７は、認証情報を携帯端末装置５及び選択部８５が選択した画像形成装置１に送信するときに、第１のデータ記憶部８１に記憶されている印刷データを、選択部８５が選択した画像形成装置１に送信する。
【０１１４】
図４及び図７を参照して、ステップＴ６で選択された画像形成装置１Ｅ，１Ｆ，１Ｇ（図１）のそれぞれにおいて、第２の受信部６０９は、ステップＴ２１で送信されてきた印刷要求、認証情報、及び、印刷データを受信する（ステップＵ２１）。
【０１１５】
画像形成装置１Ｅ，１Ｆ，１Ｇ（図１）のそれぞれにおいて、制御部５００は、ステップＵ２１で受信された認証情報を、認証情報記憶部５０１に記憶させ、かつ、印刷データを第２のデータ記憶部５０３に記憶させる（ステップＵ２２）。
【０１１６】
ステップＵ２２後、図８のステップＵ３〜ステップＵ５の処理は、図６のステップＵ３〜ステップＵ５の処理と同じなので、説明を省略する。
【０１１７】
図４及び図８を参照して、ステップＵ５後、画像形成装置１Ｆにおいて、印刷部１００は、ステップＵ２２で第２のデータ記憶部５０３に記憶されている印刷データで示される画像の印刷ジョブを実行する（ステップＵ９）。すなわち、複数の画像形成装置１Ａ〜１Ｉのうち、印刷許可部５０７が印刷を許可した画像形成装置１Ｆは、第２のデータ記憶部５０３に記憶されている印刷データで示される画像の印刷ジョブを印刷部１００に実行させる。
【０１１８】
このように、画像形成装置１Ｆ（印刷許可部５０７が印刷を許可した画像形成装置１）は、認証部５１３でのユーザー認証を要求することなく（ステップＵ５）、印刷データで示される画像の印刷ジョブを印刷部１００に実行させる。
【０１１９】
ステップＵ９後、図８のステップＵ１０の処理及びステップＴ１１〜ステップＴ１２の処理は、図６のステップＵ１０の処理及びステップＴ１１〜ステップＴ１２の処理と同じなので、説明を省略する。
【０１２０】
画像形成装置１Ｅ，１Ｇにおいて、第２の受信部６０９が、図８のステップＴ１２で転送されてきた印刷完了の通知を受信したとき、消去部５１１は、ステップＵ２２で認証情報記憶部５０１に記憶されている認証情報及び第２のデータ記憶部５０３に記憶されている印刷データを消去する。画像形成装置１Ｆで印刷が完了しており、認証情報及び印刷データは不要だからである。すなわち、選択部８５が選択した画像形成装置１のうち、印刷許可部５０７が印刷を許可した画像形成装置以外の画像形成装置１において、第２の受信部６０９が印刷完了の通知を受信したとき、消去部５１１は、認証情報記憶部５０１に記憶されている認証情報及び第２のデータ記憶部５０３に記憶されている印刷データを消去する。
【０１２１】
なお、画像形成装置１Ｆ（印刷許可部５０７が印刷を許可した画像形成装置１）においても、消去部５１１は、認証情報記憶部５０１に記憶されている認証情報及び第２のデータ記憶部５０３に記憶されている印刷データを消去する。
【０１２２】
変形例の主な効果を説明する。変形例によれば、サーバー装置７は、選択部８５が選択した画像形成装置１Ｅ，１Ｆ，１Ｇに認証情報を送信するときに、印刷データも送信する（ステップＴ２１）。従って、画像形成装置１Ｆにおいて、印刷許可部５０７が印刷を許可したとき、画像形成装置１Ｆがサーバー装置７に印刷データを要求する必要がないので、直ちに、印刷をすることができる。
【０１２３】
サーバー装置７は、選択された３台の画像形成装置１Ｅ,１Ｆ,１Ｇの全てに認証情報及び印刷データを送信する（ステップＴ２１）。このため、３台の画像形成装置１Ｅ,１Ｆ,１Ｇのうち、印刷許可部５０７が印刷を許可した画像形成装置１Ｆ以外の画像形成装置１Ｅ，１Ｇにおいても、認証情報記憶部５０１に認証情報が記憶され、かつ、第２のデータ記憶部５０３に印刷データが記憶されている。印刷許可部５０７が印刷を許可した画像形成装置１Ｆで印刷が完了すれば、認証情報及び印刷データは不要である。本実施形態によれば、印刷許可部５０７が印刷を許可した画像形成装置１Ｆ以外の画像形成装置１Ｅ，１Ｇにおいて、認証情報記憶部５０１に記憶されている認証情報及び第２のデータ記憶部５０３に記憶されている印刷データを消去することができる。
【符号の説明】
【０１２４】
１，１Ａ〜１Ｉ  画像形成装置
３  画像形成システム
５  携帯端末装置
７  サーバー装置
【図１】
2016103168.tif 000003
【図２】
2016103168.tif 000004
【図３】
2016103168.tif 000005
【図４】
2016103168.tif 000006
【図５】
2016103168.tif 000007
【図６】
2016103168.tif 000008
【図７】
2016103168.tif 000009
【図８】
2016103168.tif 000010